(57)【要約】【課題】二輪車用オリジナル座席柄の製造方法。【解決手段】自動二輪車及び原動機自転車の座席のサイズに合う、好みの色・絵・柄・布地及びデザインなどが画かれた布類２の中から選び、座席本体１に上からかぶせて座席本体１の下部内側の従来固定用に設けた場所４に布類の長くした部分５の端を固定できるよう設ける、次にビニールシート３を、色・絵・柄・布地及びデザインなどが画かれた布類２の上に重ねて、長くした部分６を同じ場所に固定できるよう設ける事により、ビニールシート３を通して好みの色・絵・柄・布地及びデザインなどの画かれた布類２が美しく見えることで座席のキズ・ヤブレ・ヨゴレの解決もできて良好な外観を保てる、又、一般的な布類が使えることで選択幅が広まり多種多様の個性の表現ができる、その上に防水及び座席カバーにもなる事を特長とする。【選択図】　図１
2004123074.tif 000002
【特許請求の範囲】
【請求項１】
自動二輪車及び原動機付自転車の座席のサイズに合う、好みの色・絵・柄・布地及びデザインなどが画かれた布類２の中から選び、座席本体１に、上からかぶせて座席本体１の下部内側の、従来固定用に設けた場所４に色・絵・柄・布地及びデザインなどが画かれた布類２の長くした部分５の端を固定、次に透明及び薄く着色されたビニールシート３を、好みの色・絵・柄・布地及びデザインなどが画かれた布類２の上に重ねて長くした部分６を同じ場所に固定する事により透明及び薄く着色されたビニールシート３を通して好みの色・絵・柄・布地及びデザインなどが画かれた布類２が見える事と一般的な布類が使える事で選択幅が広まり多種多様の個性の表現ができる、又、防水及び座席カバーにもなる事を特長とする、二輪車用オリジナル座席柄の製造方法。
【発明の詳細な説明】
【０００１】
【発明の属する技術分野】この発明は、透明及び薄く着色されたビニールシートを通して好みの色・絵・柄・布地及びデザインなどが画かれた布類が見える事と一般的な布類が使える事で選択幅が広まり多種多様の個性の表現ができる、又、防水及び座席カバーにもなる事を特長とする、二輪車用オリジナル座席柄の製造方法で、自動二輪車及び原動機付自転車の座席に関する物である。
【０００２】
【従来の技術】従来は、黒系統の色か、一色の座席が主流で材質としては合成レザーを使用している。
【０００３】
【発明が解決しょうとする課題】上記従来例の自動二輪車及び原動機付自転車の座席は好みの色・絵・柄・布地及びデザインなどが画かれた布類の指定が出来ない、又、二輪車用座席で極めて重要な問題である雨天時における座席のキズ・ヤブレの場合、浸水で尻部が濡れて不快感を感じる上に、座席の良好な外観を保つことが出来なく取り替えに高額な費用が必要とされる。
【０００４】そこで本願発明は、係る問題点を解決して構造簡単でかつ安価に製造できる座席カバーにもなる二輪車用オリジナル座席柄の製造方法の提供を目的とする。
【０００５】
【課題を解決するための手段】上記課題を解決するため、本願発明に係る自動二輪車及び原動機付自転車の座席のサイズに合う、好みの色・絵・柄・布地及びデザインなどが画かれた布類の中から選び座席本体に、上からかぶせて座席本体の下部内側の、従来固定用に設けた場所に色・絵・柄・布地及びデザインなどが画かれた布類の長くした部分５の端を固定、次に透明及び薄く着色されたビニールシートを、色・絵・柄・布地及びデザインなどが画かれた布類の上に重ねて長くした部分６を同じ場所に固定する事により防水及び座席カバーにもなる事を特長と設ける。
【０００６】ビニールシートを通して好みの色・絵・柄・布地及びデザインなどが画かれた布類が見える事と一般的な布類が使える事で、選択幅が広まり多種多様の個性の表現ができる事を特長とする様に設ける、本発明は以上の構成よりなる二輪車用オリジナル座席柄の製造方法である。
【０００７】
【発明の実施の形態】以下、本発明の実施の形態について説明する。
自動二輪車及び原動機付自転車の座席のサイズに合う、好みの色・絵・柄・布地及びデザインなどが画かれた布類２の中から選び、座席本体１に上からかぶせて座席本体１の下部内側の、従来固定用に設けた場所４に色・絵・柄・布地及びデザインなどが画かれた布類２の長くした部分５の端を公知の手段により固定、次に透明及び薄く着色されたビニールシート３を、色・絵・柄・布地及びデザインなどが画かれた布類２の上に重ねて、長くした部分６を同じ場所に公知の手段により固定するようにされている。
【０００８】別方法として公知されている取外し自在の二輪車用座席カバーのように、長くした部分５・６の端部にゴム紐を取付ければ座席本体１に装着固定することも可能にされている。
【０００９】その結果、透明及び薄く着色されたビニールシート３を通して好みの色・絵・柄・布地及びデザインなどが画かれた布類２が、美しく見える事と座席本体１のキズ・ヤブレ・ヨゴレの解決もでき良好な外観を保つことが可能で、一般的な布類が使える事で選択幅が広まり多種多様の個性の表現ができる、又、防水及び座席カバーにもなる事を特長とされている。
【００１０】本願発明は上記実施例に限定されず、変形や応用可能であり、例えばビニールシートに関しては高周波等により無縫製加工されて所定形状に成形されたもの、又、ブロー成形等やスラッシュ成形等公知の無縫合成形方法によってもできるようにされている。
【００１１】好みの色・絵・柄・布地及びデザインなどが画かれた布類２については、縫製加工により形成されたものでも使用できるようにされている、本発明は以上の形態よりなっている。
【００１２】
【発明の効果】身近にある好みの色・絵・柄・布地及びデザインなどが画かれた布類が、透明及び薄く着色されたビニールシートを通して美しく見える事を特長とする様に設けたので、従来、黒系統の色か、一色の合成レザーを使用している座席が主流で、色・絵・柄・布地及びデザインが画かれた布類の指定が出来なかったが、本発明は、好みの色・絵・柄・布地及びデザインが画かれた布類を一般的な布類の中から選ぶので選択幅が広まり、選ぶ楽しさと多種多様の個性の表現が出来る。
【００１３】二輪車用座席で極めて重要な問題である雨天時における座席のキズ・ヤブレの浸水に対しては、透明及び薄く着色されたビニールシートが防水を確実にする、又、オートバイを遠くに置いていても座席本体を見ればわかり、極めて美しく見えて良好な外観を保ち愛着がもてる商品性の高い外観を維持できる。
【００１４】その上、構造簡単でかつ安価に製造可能で座席カバーとしても使用出来る、本発明は以上の効果がある二輪車のオリジナル座席柄の製造方法である。
【００１５】
【図面の簡単な説明】
【図１】本発明の座席本体の分解斜視図である。
【図２】本発明の使用状態を示す正面輪切り断面図である。
【図３】本発明の使用状態を示す横面輪切り断面図である。
【図４】本発明の使用場所及び座席本体位置を示す原動機付自転車の横外観図である。
【００１６】
【符号の説明】
１座席本体
２自分好みの色・絵・柄・布地及びデザインなどが画かれた布類
３透明及び薄く着色されたビニールシート
４従来の固定用に設けた場所
５長くした部分
６長くした部分
７座席本体内部のウレタン
８原動機付自転車の座席位置
【図１】
2004123074.tif 000003
【図２】
2004123074.tif 000004
【図３】
2004123074.tif 000005
【図４】
2004123074.tif 000006